【手続補正書】
【提出日】平成27年7月16日(2015.7.16)
【手続補正１】
【補正対象書類名】特許請求の範囲
【補正対象項目名】全文
【補正方法】変更
【補正の内容】
【特許請求の範囲】
【請求項１】
或るパターンのマイクロ波相互作用材料を含む積層体を形成する方法であって、
第１のウェブ、第２のウェブ、及び第３のウェブを含む複合積層体を形成するステップであって、前記第３のウェブは、前記第１のウェブと前記第２のウェブとの間に位置決めされ、前記第３のウェブは、マイクロ波相互作用材料と、前記第３のウェブの第１の複数の部分及び第２の複数の部分を少なくとも部分的に画定する複数の分割線とを含む、形成するステップと、
を含み、
前記複合積層体を形成するステップは、前記第３のウェブの前記第１の複数の部分及び前記第２の複数の部分の双方を接着材料によって前記第２のウェブに結合するステップを含み、
前記第３のウェブの前記第１の複数の部分及び前記第２の複数の部分の双方を前記第２のウェブに結合するステップにおいて、前記第３のウェブの前記第２の複数の部分の前記第２のウェブに対する接着結合は、前記第３のウェブの前記第１の複数の部分の前記第２のウェブに対する接着結合よりも強固であり、
前記第３のウェブの前記第１の複数の部分及び前記第２の複数の部分の双方を前記接着材料によって前記第２のウェブに結合するステップにおいて、前記第２のウェブと前記第３のウェブとの間の前記接着材料は、前記第２のウェブと前記第３のウェブとの間に非結合領域があるような接着剤セグメントのパターンで配置されており、
前記非結合領域は、前記第３のウェブの前記第２の複数の部分の前記第２のウェブに対する接着結合が、前記第３のウェブの前記第１の複数の部分の前記第２のウェブに対する接着結合よりも強固であるように、構成されており、
前記方法は、
前記複合積層体を、第１の積層体及び第２の積層体を含む複数の部分に分離するステップであって、前記第１の積層体は、前記第１のウェブ及び前記第１の複数の部分を含み、前記第２の積層体は、前記第２のウェブ及び前記第２の複数の部分を含む、分離するステップと、
を含み、
前記分離するステップは、前記第２のウェブと前記第３のウェブの前記第１の複数の部分との間の接着結合破壊、及び前記第１のウェブと前記第２のウェブとの間の相対移動を含み、前記接着結合破壊は、前記第１のウェブと前記第２のウェブとの間の前記相対移動に対応するものである、方法。
【請求項２】
前記分離するステップは、前記第１の積層体及び前記第２の積層体を互いに対して離層するステップを含む、請求項１に記載の方法。
【請求項３】
前記第１のウェブは紙を含む、請求項１に記載の方法。
【請求項４】
前記第２のウェブは紙を含む、請求項１に記載の方法。
【請求項５】
請求項１に記載の方法であって、該方法は、第４のウェブを前記第１の積層体に積層するステップを更に含み、それにより、前記第１の複数の部分は前記第１のウェブと前記第４のウェブとの間に位置決めされる、請求項１に記載の方法。
【請求項６】
前記第１のウェブは紙を含み、前記第４のウェブはポリマーフィルムを含む、請求項５に記載の方法。
【請求項７】
請求項１に記載の方法であって、該方法は、第４のウェブを前記第２の積層体に積層するステップを更に含み、それにより、前記第２の複数の部分は前記第２のウェブと前記第４のウェブとの間に位置決めされる、請求項１に記載の方法。
【請求項８】
前記第２のウェブは紙を含み、前記第４のウェブはポリマーフィルムを含む、請求項７に記載の方法。
【請求項９】
請求項１に記載の方法であって、
最初の積層体が前記第１のウェブ及び前記第３のウェブを含み、
前記形成するステップは、前記最初の積層体及び前記第２のウェブを互いに対して積層するステップを含み、
該方法は、前記最初の積層体及び前記第２のウェブを互いに対して積層するステップの前に、前記第３のウェブに前記分割線を形成するステップを更に含む、請求項１に記載の方法。
【請求項１０】
前記第３のウェブは、箔及び基材を含む箔積層体であり、
前記分割線を形成するステップは、前記箔及び前記基材の双方に前記分割線を形成するステップを含み、それにより、該分割線は前記箔において或るパターンを画定し、前記分割線は前記基材において或るパターンを画定し、前記箔における前記パターン及び前記基材における前記パターンは、互いに対して重ね合わせられる、請求項９に記載の方法。
【請求項１１】
前記第３のウェブは、箔及び基材を含む箔積層体であり、
前記積層するステップは、前記箔が前記基材と前記第２のウェブとの間に位置決めされるように行われる、請求項９に記載の方法。
【請求項１２】
請求項１に記載の方法であって、
最初の積層体が前記第２のウェブ及び前記第３のウェブを含み、
前記形成するステップは、前記最初の積層体及び前記第１のウェブを互いに対して積層するステップを含み、
該方法は、前記最初の積層体及び前記第１のウェブを互いに対して積層するステップの前に、前記第３のウェブに前記分割線を形成するステップを更に含む、請求項１に記載の方法。
【請求項１３】
前記第３のウェブは、箔及び基材を含む箔積層体であり、
前記分割線を形成するステップは、前記箔及び前記基材の双方に前記分割線を形成するステップを含み、それにより、該分割線は前記箔において或るパターンを画定し、前記分割線は前記基材において或るパターンを画定し、前記箔における前記パターン及び前記基材における前記パターンは、互いに対して重ね合わせられる、請求項１２に記載の方法。
【請求項１４】
前記第３のウェブは、箔及び基材を含む箔積層体であり、
前記積層するステップは、前記箔が前記基材と前記第２のウェブとの間に位置決めされるように行われる、請求項１２に記載の方法。
【請求項１５】
或るパターンのマイクロ波相互作用材料を含む積層体を形成するシステムであって、
最初の積層体を形成する第１の積層ステーション、及び、第１のウェブ、第２のウェブ、及び第３のウェブを含む複合積層体を形成するように該第１の積層ステーションから下流に位置決めされる第２の積層ステーションであって、該第１の積層ステーションは、前記最初の積層体が前記第１のウェブ及び前記第３のウェブを含むように構成され、該第２の積層ステーションは、前記複合積層体において前記第３のウェブが前記第１のウェブ及び前記第２のウェブの間に位置決めされるように構成される、第１の積層ステーション及び第２の積層ステーションと、
前記第１の積層ステーションと前記第２の積層ステーションとの間に位置決めされる型抜きステーションであって、前記第３のウェブのマイクロ波相互作用材料に複数の分割線を形成し、それにより、該複数の分割線は前記第３のウェブの第１の複数の部分及び第２の複数の部分を少なくとも部分的に規定する、型抜きステーションと、
前記第２の積層ステーションから下流に位置決めされる離層ステーションであって、前記複合積層体を第１の積層体及び第２の積層体を含む複数の部分に分離し、それにより、前記第１の積層体は、前記第１のウェブ及び前記第１の複数の部分を含み、前記第２の積層体は、前記第２のウェブ及び前記第２の複数の部分を含む、離層ステーションと、
を備える、システム。
【請求項１６】
前記第１の積層ステーション及び前記型抜きステーションは、前記第１の複数の部分及び前記第２の複数の部分の双方が前記第１のウェブに結合されるように協働して構成される、請求項１５に記載のシステム。
【請求項１７】
前記離層ステーションは、前記第２の積層体をロールに形成する巻取り装置を備える、請求項１５に記載のシステム。
【請求項１８】
前記離層ステーションから下流に位置決めされる第３の積層ステーションであって、第４のウェブを前記第１の積層体に積層し、それにより、前記第１の複数の部分が前記第１のウェブと前記第４のウェブとの間に位置決めされる、第３の積層ステーションを更に備える、請求項１５に記載のシステム。
【請求項１９】
前記第１の積層ステーション及び前記型抜きステーションは、前記第１の複数の部分及び前記第２の複数の部分の双方が前記第１のウェブに結合されるように協働して構成され、
前記離層ステーションは、前記第２の積層体をロールに形成する巻取り装置を備える、請求項１８に記載のシステム。